(57)【要約】【課題】発光パネルを光源に用いた照明装置において、発光パネルの交換作業のさらなる効率化を図ることが可能な構造を備える照明装置および発光パネルを提供する。【解決手段】発光パネル１００Ａは、可視光線を発光する発光層１１０Ａと、発光層１１０Ａの上に積層配置され、外部から所定の刺激が加えられることにより、平面状態または湾曲面状態に変形して、発光層１００Ａを平面状態または湾曲面状態に変形させる変形層１２０Ａとを含み、支持部材２００Ａ，２００Ｂは、受電電極に接する供電電極２０１ａ，２０１ｂと、変形層１２０Ａに刺激を加える刺激印加手段２０２ａ，２０２ｂとを含む。【選択図】図７
2012099431.tif 000002
【特許請求の範囲】
【請求項１】
発光パネルおよび前記発光パネルの縁部を下面側から支持する支持部材を備える照明器具であって、
前記発光パネルは、
受電電極を有し、可視光線を発光する発光層と、
前記発光層の上に積層配置され、外部から所定の刺激が加えられることにより、平面状態または湾曲面状態に変形して、前記発光層を平面状態または湾曲面状態に変形させる変形層と、を含み、
前記支持部材は、
前記受電電極に接する供電電極と、
前記変形層に刺激を加える刺激印加装置と、を含み、
前記刺激印加装置の操作に基づいて、前記変形層が平面状態の場合には、前記発光パネルは平面状態となって、前記支持部材により支持され、
前記刺激印加装置の操作に基づいて、前記変形層が湾曲面状態の場合には、前記発光パネルは湾曲面状態となって、前記支持部材による支持が外れる、照明装置。
【請求項２】
前記変形層には、不可視光線、熱、またはマイクロ波のいずれかが印加されることにより、平面状態から湾曲面状態に変形する材料が用いられ、
前記刺激印加装置は、前記変形層に不可視光線、熱、またはマイクロ波のいずれかの印加が可能であり、
前記刺激印加装置から前記変形層に不可視光線、熱、またはマイクロ波のいずれかが印加されていない場合には、前記変形層は平面状態となり、
前記刺激印加装置から前記変形層に不可視光線、熱、またはマイクロ波のいずれかが印加されている場合には、前記変形層は湾曲面状態となる、請求項１に記載の照明装置。
【請求項３】
前記発光パネルは、前記変形層の上に、前記変形層に照射された不可視光線、熱、またはマイクロ波のいずれかが外部に放出されることを防ぐ反射層を有し、
前記支持部材には、前記反射層を有する前記発光パネルが複数枚積層支持される、請求項２に記載の照明装置。
【請求項４】
前記変形層は、収縮フィルムまたは収縮プラスチックである、請求項１から３のいずれかに記載の照明装置。
【請求項５】
前記変形層には、可視光線が印加されることにより湾曲面状態から平面状態に変形する材料が用いられ、
前記刺激印加装置は、前記変形層に可視光線の印加が可能であり、
前記刺激印加装置から前記発光層に可視光線が印加されていない場合には、前記変形層は湾曲面状態となり、
前記刺激印加装置から前記発光層に可視光線が印加されている場合には、前記変形層は平面状態となる、請求項１に記載の照明装置。
【請求項６】
前記変形層に、平面状態および湾曲面状態に変形する形状記憶合金が用いられ、
前記刺激印加装置は、前記変形層に過電流の印加が可能であり、
前記刺激印加装置から前記変形層に過電流が印加されていない場合には、前記変形層は平面状態となり、
前記刺激印加装置から前記変形層に過電流が印加されている場合には、前記変形層は湾曲面状態となる、請求項１に記載の照明装置。
【請求項７】
平面状態または湾曲面状態に変形可能な発光パネルと、
前記発光パネルの縁部を下面側から支持する支持部材と、
前記発光パネルに外力を加えて、前記発光パネルを平面状態から湾曲面状態に変形させる外力付加装置と、を備え、
前記外力付加装置から前記発光パネルに外力は加えられていない状態においては、前記発光パネルは平面状態となって、前記支持部材により支持され、
前記外力付加装置から前記発光パネルに外力が加えられている状態においては、前記発光パネルは湾曲面状態となって、前記支持部材から外れる、照明装置。
【請求項８】
受電電極を有し、可視光線を発光する発光層と、
前記発光層に積層配置され、外部から所定の刺激が加えられることにより、平面状態または湾曲面状態に変形して、前記発光層を平面状態または湾曲面状態に変形させる変形層と、
を備える、発光パネル。
【発明の詳細な説明】
【技術分野】
【０００１】
本発明は照明装置および発光パネルに関する。
【背景技術】
【０００２】
新たな照明装置として面発光素子を用いた装置が、下記特許文献１から５に開示されている。特許文献１には、発光パネルの交換の作業性を向上させる構造を備える発光パネル式照明器具が開示されている。特許文献２には、ユーザが取り扱いやすく、安全にパネル交換できる照明装置の構造が開示されている。特許文献３には、面発光光源の着脱によって電極薄膜を傷付けることを防止することができる構造を備える照明装置の構造が開示されている。特許文献４には、面発光素子を所定の形状に成形して装飾的効果を高める照明装置の構造が開示されている。特許文献５には、巻き取り式の面発光素子を用いた照明装置の構造が開示されている。
【先行技術文献】
【特許文献】
【０００３】
【特許文献１】特開２００７−２５０３０３号公報
【特許文献２】特開２００７−００５２２６号公報
【特許文献３】特開２００６−３３１８５６号公報
【特許文献４】特開２００９−１４０９８７号公報
【特許文献５】特開２００９−１７６６３３号公報
【発明の概要】
【発明が解決しようとする課題】
【０００４】
ここで、発光パネルを光源に用いた照明装置において、発光により徐々に明度が低下し所定の期間（たとえば、数千時間）が過ぎると初期の半分以下の明度となる。このような発光パネルの寿命・性能劣化や破損などを原因として、発光パネルの交換作業が必要となる。
【０００５】
本発明の目的は、発光パネルを光源に用いた照明装置において、発光パネルの交換作業のさらなる効率化を図ることが可能な構造を備える照明装置および発光パネルを提供することにある。
【課題を解決するための手段】
【０００６】
この発明に基づいた照明装置においては、発光パネルおよび上記発光パネルの縁部を下面側から支持する支持部材を備える照明器具であって、上記発光パネルは、受電電極を有し、可視光線を発光する発光層と、上記発光層の上に積層配置され、外部から所定の刺激が加えられることにより、平面状態または湾曲面状態に変形して、上記発光層を平面状態または湾曲面状態に変形させる変形層とを含んでいる。
【０００７】
上記支持部材は、上記受電電極に接する供電電極と、上記変形層に刺激を加える刺激印加装置とを含み、上記刺激印加装置の操作に基づいて、上記変形層が平面状態の場合には、上記発光パネルは平面状態となって、上記支持部材により支持され、上記刺激印加装置の操作に基づいて、上記変形層が湾曲面状態の場合には、上記発光パネルは湾曲面状態となって、上記支持部材による支持が外れる。
【０００８】
他の形態では、上記変形層には、不可視光線、熱、またはマイクロ波のいずれかが印加されることにより、平面状態から湾曲面状態に変形する材料が用いられ、上記刺激印加装置は、上記変形層に不可視光線、熱、またはマイクロ波のいずれかの印加が可能であり、上記刺激印加装置から上記変形層に不可視光線、熱、またはマイクロ波のいずれかが印加されていない場合には、上記変形層は平面状態となり、上記刺激印加装置から上記変形層に不可視光線、熱、またはマイクロ波のいずれかが印加されている場合には、上記変形層は湾曲面状態となる。
【０００９】
他の形態では、上記発光パネルは、上記変形層の上に、上記変形層に照射された不可視光線、熱、またはマイクロ波のいずれかが外部に放出されることを防ぐ反射層を有し、上記支持部材には、上記反射層を有する上記発光パネルが複数枚積層支持される。
【００１０】
他の形態では、上記変形層は、収縮フィルムまたは収縮プラスチックである。
他の形態では、上記変形層には、可視光線が印加されることにより湾曲面状態から平面状態に変形する材料が用いられ、上記刺激印加装置は、上記変形層に可視光線の印加が可能であり、上記刺激印加装置から上記発光層に可視光線が印加されていない場合には、上記変形層は湾曲面状態となり、上記刺激印加装置から上記発光層に可視光線が印加されている場合には、上記変形層は平面状態となる。
【００１１】
他の形態では、上記変形層に、平面状態および湾曲面状態に変形する形状記憶合金が用いられ、上記刺激印加装置は、上記変形層に過電流の印加が可能であり、上記刺激印加装置から上記変形層に過電流が印加されていない場合には、上記変形層は平面状態となり、上記刺激印加装置から上記変形層に過電流が印加されている場合には、上記変形層は湾曲面状態となる。
【００１２】
この発明に基づいた他の照明装置においては、平面状態または湾曲面状態に変形可能な発光パネルと、上記発光パネルの縁部を下面側から支持する支持部材と、上記発光パネルに外力を加えて、上記発光パネルを平面状態から湾曲面状態に変形させる外力付加装置とを備え、上記外力付加装置から上記発光パネルに外力は加えられていない状態においては、上記発光パネルは平面状態となって、上記支持部材により支持され、上記外力付加装置から上記発光パネルに外力が加えられている状態においては、上記発光パネルは湾曲面状態となって、上記支持部材から外れる。
【００１３】
この発明に基づいた発光パネルにおいては、受電電極を有し、可視光線を発光する発光層と、上記発光層に積層配置され、外部から所定の刺激が加えられることにより、平面状態または湾曲面状態に変形して、上記発光層を平面状態または湾曲面状態に変形させる変形層とを備える。
【発明の効果】
【００１４】
この発明に基づいた照明装置および発光パネルによれば、発光パネルを光源に用いた照明装置において、発光パネルの交換作業のさらなる効率化を図ることが可能となる。
【図面の簡単な説明】
【００１５】
【図１】実施の形態１における照明装置の発光パネルを示す平面図である。
【図２】図１中ＩＩ−ＩＩ線矢視断面図である。
【図３】図２中のＩＩＩで囲まれた領域の拡大断面図である。
【図４】実施の形態１における照明装置の外観を示す見上げ図である。
【図５】図４中Ｖ−Ｖ線矢視断面図である。
【図６】実施の形態１における照明装置に用いられる刺激印加装置の概略構成を示す図である。
【図７】実施の形態１における照明装置の発光パネルの取外し状態を示す図であり、図４中Ｖ−Ｖ線矢視断面に相当する図である。
【図８】実施の形態２における照明装置に用いられる発光パネルを示す平面図である。
【図９】図８中ＩＸ−ＩＸ線矢視断面図である。
【図１０】実施の形態２における照明装置の外観を示す見上げ図である。
【図１１】図１０中ＸＩ−ＸＩ線矢視断面図である。
【図１２】実施の形態２における照明装置への発光パネルの支持状態を示す第１図である。
【図１３】実施の形態２における照明装置への発光パネルの支持状態を示す第２図である。
【図１４】実施の形態３における照明装置に用いられる発光パネルの断面図である。
【図１５】実施の形態３における照明装置の断面図である。
【図１６】実施の形態３における照明装置の発光パネルの取外し状態を示す第１図である。
【図１７】実施の形態３における照明装置の発光パネルの取外し状態を示す第２図である。
【図１８】実施の形態４における照明装置の発光パネルの外観を示す見上げ図である。
【図１９】実施の形態４における照明装置の外観を示す見上げ図である。
【図２０】実施の形態４における照明装置の発光パネルの支持状態を示す図であり、図１９中ＸＸ−ＸＸ線矢視断面図である。
【図２１】実施の形態４における照明装置の発光パネルの支持状態を示す図であり、図１９中ＸＸＩ−ＸＸＩ線矢視断面図である。
【図２２】実施の形態４における照明装置に用いられる刺激印加装置の概略構成を示す図である。
【図２３】実施の形態４における照明装置の発光パネルの取外し状態を示す図であり、図１９中ＸＸＩ−ＸＸＩ線矢視断面に相当する図である。
【図２４】実施の形態５における照明装置の断面図である。
【図２５】実施の形態５における照明装置の発光パネルの取外し状態を示す第１図である。
【図２６】実施の形態５における照明装置の発光パネルの取外し状態を示す第２図である。
【図２７】実施の形態６における照明装置の外観を示す見上げ図である。
【図２８】実施の形態６における照明装置の発光パネルの支持状態を示す図であり、図２７中ＸＸＶＩＩＩ−ＸＸＶＩＩＩ線矢視断面図である。
【図２９】実施の形態６における照明装置の発光パネルの取外し状態を示す図であり、図２７中ＸＸＶＩＩＩ−ＸＸＶＩＩＩ線矢視断面に相当する図である。
【発明を実施するための形態】
【００１６】
本発明に基づいた各実施の形態における照明装置および発光パネルについて、以下、図を参照しながら説明する。なお、以下に説明する実施の形態において、個数、量などに言及する場合、特に記載がある場合を除き、本発明の範囲は必ずしもその個数、量などに限定されない。また、同一の部品、相当部品に対しては、同一の参照番号を付し、重複する説明は繰り返さない場合がある。また、各実施の形態における構成を適宜組み合わせて用いることは当初から予定されていることである。
【００１７】
（実施の形態１）
（発光パネル１００Ａ）
図１から図３を参照して、本実施の形態における照明装置に用いられる発光パネル１００Ａについて説明する。なお、図１は、発光パネル１００Ａを示す平面図、図２は、図１中ＩＩ−ＩＩ線矢視断面図、図３は、図２中のＩＩＩで囲まれた領域の拡大断面図である。
【００１８】
本実施の形態における発光パネル１００Ａは、一例として、厚さが約０．２ｍｍ〜約０．５ｍｍに対して、縦長さが約５０ｍｍ〜約２００ｍｍ、横長さが約５０ｍｍ〜約２００ｍｍである。この寸法関係を維持したまま図示した場合には、発光パネルの構造を明確に示すことはできない。そこで、以下に示す各実施の形態における照明装置および発光パネルの図示においては、構造の理解のために寸法関係は、発光パネルの厚み方向を拡大して図示している。
【００１９】
図１および図２を参照して、この発光パネル１００Ａは、平面視において長方形形状を有し、主面１００ａ側の中央領域に発光面１０５ａを有し、主面１００ａ側の周縁部に受電電極１０３，１０４が設けられている。発光パネル１００Ａの形状は、長方形形状に限定されるものではなく、正方形形状、多角形形状、円形形状等の様々な形状の選択が可能である。
【００２０】
図２を参照して、この発光パネル１００Ａは、発光層１１０Ａと変形層１２０Ａと有している。発光層１１０Ａは、発光体１０１、受電電極１０３をその一部とし、発光体１０１の一方面側に位置する導電体１０２、受電電極１０４と電気的に接続され、発光体１０１の他方面側（発光面側）に位置する透明導電体１０５、および、ガラスやプラスチックフィルムを用いた透明基板１０６とを有している。
【００２１】
図３を参照して、発光体１０１を導電体１０２と透明導電体１０５とにより挟み込む。一部図示においては記載を省略しているが、導電体１０２と透明導電体１０５との対向面には、絶縁分離のために絶縁層１０７が設けられている。
【００２２】
透明導電体１０５は、傷つき易い導電性樹脂が用いられているため、この透明導電体１０５を保護する目的で、金属からなる受電電極１０４が、透明導電体１０５の表面に接続・被覆されている。
【００２３】
この発光層１１０Ａは、受電電極１０３と受電電極１０４との間に直流電流（例えば、１５Ｖ程度）を流すことにより発光面１０５ａが可視光線を発して発光する。受電電極１０３，１０４の位置は、主面１００ａ側の周縁部に設けられれば、特に限定されるものではない。
【００２４】
本実施の形態の発光層１１０Ａは、有機ＥＬ(Electro-Luminescence)を発光体１０１に用いており、導電体１０２にマイナス電位を印加し、透明導電体１０５にプラス電位を印加すると、導電体１０２で生じた自由電子と透明導電体１０５で生じた正孔とが発光体１０１で結合して、この発光体１０１の有機物が励起状態になり、元の安定状態に戻るときに発光する。
【００２５】
さらに、本実施の形態の発光パネル１００Ａは、発光層１１０Ａの上に、外部から所定の刺激が加えられることにより、平面状態または湾曲面状態に変形して、発光層１１０Ａを平面状態または湾曲面状態に変形させる変形層１２０Ａが設けられている。
【００２６】
本実施の形態において、外部から所定の刺激としては、不可視光線（紫外線、赤外線）、熱、マイクロ波等が挙げられる。不可視光線（紫外線、赤外線）、熱、マイクロ波によって、平面状態から湾曲面状態に変形可能な変形層１２０Ａに用いる材料として、収縮フィルムまたは収縮プラスチックが挙げられる。
【００２７】
収縮フィルムまたは収縮プラスチックとは、不可視光線（紫外線、赤外線）、熱、マイクロ波などの作用を受けて収縮するフィルム／プラスチックである。収縮フィルムまたは収縮プラスチックの材質としては、たとえば、ポリエチレン、ポリプロピレン、ポリ塩化ビニル、ポリスチレン、エチレン−酢酸ビニル共重合体、シクロオレフィン共重合体等のビニル重合樹脂、ポリウレタン樹脂、ポリフッ化ビニリデン等のフッ素系樹脂、熱可塑性エラストマー、シリコーン樹脂、ポリカプロラクトンやポリ乳酸等の生体適合性材料などが含まれる。これらの材質からなるフィルム／プラスチックを、一軸または二軸延伸したフィルム／プラスチックを収縮フィルムまたは収縮プラスチックとして用いればよい。
【００２８】
収縮フィルムは、等方的に収縮するフィルムであっても、異方的に収縮するフィルムであってもよい。収縮フィルムの収縮率は、１．０５〜３０倍であることが好ましく、より好ましくは、１．５倍〜３倍であると良い。
【００２９】
なお、発光層１１０Ａの一例として有機ＥＬを用いた発光層について説明したが、同等の性能を有する面発光層であれば、有機ＥＬに限定されず、無機ＥＬ、面発光レーザ、面発光ＬＥＤ等を用いた面発光層の採用も可能である。以下に示す各実施の形態における発光層も同様である。
【００３０】
（照明装置１０００）
次に、図４から図７を参照して、本実施の形態における照明装置１０００について説明する。なお、図４は、天井１に取り付けられた照明装置の外観を示す見上げ図、図５は、図４中Ｖ−Ｖ線矢視断面図、図６は、照明装置に用いられる刺激印加装置の概略構成を示す図、図７は、照明装置の発光パネルの取外し状態を示す図であり、図４中Ｖ−Ｖ線矢視断面に相当する図である。
【００３１】
図４および図５を参照して、本実施の形態における照明装置１０００は、天井１に取り付けられており、発光パネル１００Ａと、この発光パネル１００Ａの縁部を下面側から支持する一対の支持部材２００Ａ，２００Ｂとを備えている。
【００３２】
支持部材２００Ａ，２００Ｂは、断面視においてＬ字形状を有している。支持部材２００Ａは、発光パネル１００Ａの発光層１１０Ａに設けられた受電電極１０３に接する供電電極２０１ａと、発光パネル１００Ａの変形層１２０Ａに所定の刺激を加えるための発生部２０２ａが設けられている。同様に、支持部材２００Ｂは、発光パネル１００Ａの発光層１１０Ａに設けられた受電電極１０４に接する供電電極２０１ｂと、発光パネル１００Ａの変形層１２０Ａに所定の刺激を加えるための発生部２０２ｂが設けられている。
【００３３】
図６を参照して、所定の刺激を加えるための発生部２０２ｂについて説明する。なお、図６は、照明装置に用いられる刺激印加装置の概略構成を示す図である。この刺激印加装置は、刺激発生本体１３、この刺激発生本体１３に電力を供給する電源１１、および刺激発生本体１３のＯＮ／ＯＦＦを制御するためのスイッチ１２を有している。刺激発生本体１３には、誘導管１４の一端が連結され、この誘導管１４の他端に発生部２０２ａが連結されている。なお、発生部２０２ｂも、同様である。
【００３４】
ここで、刺激発生本体１３から発生される刺激の種類としては、不可視光線（紫外線、赤外線）、熱、マイクロ波が挙げられる。たとえば、不可視光線の紫外線の場合には、３００ｎｍ〜３８０ｎｍの波長の紫外線が発生され、熱の場合には、３０℃から８０℃に加熱され、マイクロ波の場合には、１ｃｍ〜１０ｃｍのマイクロ波が印加される。
【００３５】
（照明装置１０００の動作）
図５および図７を参照して、照明装置１０００の動作について説明する。発光層１１０Ａを発光させる通常モードにおいては、供電電極２０１ａ，２０１ｂから受電電極１０３，１０４に電力が供給される。電力が供給されている間は、刺激印加装置のスイッチ１２はＯＦＦ状態が選択され、変形層１２０Ａに刺激は印加されない。なお、供電電極２０１ａ，２０１ｂからの電力供給のＯＮ／ＯＦＦ制御、および、刺激印加装置のスイッチ１２のＯＮ／ＯＦＦ制御は、図示しない制御装置によって行なわれ、使用者による手動操作、遠隔操作、または、自動操作により実行される。
【００３６】
次に、図７を参照して、発光パネル１００Ａの取外し（剥離）モードについて説明する。取外し（剥離）モードにおいては、供電電極２０１ａ，２０１ｂからの電力供給が遮断される。したがって、発光層１１０Ａは発光しない。この電力供給が遮断された後に、刺激印加装置のスイッチ１２がＯＮ状態にされ、発生部２０２ａ，２０２ｂから変形層１２０Ａに所定の刺激が加えられる。なお、発光パネル１００Ａの交換時期に達していない場合には、発光パネル１００Ａの取外し（剥離）モードへの切り替えが行なわれない制御を行なうことが好ましい。
【００３７】
発生部２０２ａ，２０２ｂから変形層１２０Ａに所定の刺激が加えられることにより、変形層１２０Ａが平面状態から湾曲面状態に変形して、発光層１１０Ａを平面状態から湾曲面状態に変形させる。その結果、図７に示すように、発光パネル１００Ａは上方に凸となるように湾曲し、発光パネル１００Ａの縁部が支持部材２００Ａ，２００Ｂによる支持から外れることになる。これにより、発光パネル１００Ａの支持部材２００Ａ，２００Ｂからの取外しが完了する。
【００３８】
（作用・効果）
このように本実施の形態における照明装置１０００によれば、発光パネル１００Ａが交換時期に達し、発光パネル１００Ａの支持部材２００Ａ，２００Ｂからの取外しを行なう場合には、変形層１２０Ａに所定の刺激を加えることで発光パネル１００Ａが平面状態から湾曲面状態に変形して、容易に発光パネル１００Ａの支持部材２００Ａ，２００Ｂからの取外しを行なうことができる。
【００３９】
特に、照明装置１０００を天井１等の高い位置に取り付けた場合には、発光パネル１００Ａの取外し作業に脚立等を用いる必要が生じるが、本実施の形態の照明装置１０００によれば、脚立等を用いることなく、発光パネル１００Ａの取外し作業を行なうことが可能となる。その結果、発光パネル１００Ａの交換作業のさらなる効率化を図ることを可能とする。
【００４０】
（実施の形態２）
（発光パネル１００Ｂ）
図８および図９を参照して、本実施の形態における照明装置２０００に用いられる発光パネル１００Ｂについて説明する。なお、図８は、照明装置２０００に用いられる発光パネル１００を示す平面図、図９は、図８中ＩＸ−ＩＸ線矢視断面図である。
【００４１】
本実施の形態における発光パネル１００Ｂは、一例として、厚さが約０．２ｍｍ〜約０．５ｍｍに対して、縦長さ約５０ｍｍ〜約２００ｍｍ、横長さ約５０ｍｍ〜約２００ｍｍである。また、当初は湾曲面状態に成形されている。この寸法関係を維持したまま図示した場合には、発光パネルの構造を明確に示すことはできない。そこで、以下に示す各実施の形態における照明装置および発光パネルの図示においては、構造の理解のために寸法関係は、発光パネルの厚み方向を拡大して図示している。
【００４２】
図８および図９を参照して、この発光パネル１００Ｂは、平面視において長方形形状を有し、主面側の中央領域に発光面１０５ａを有し、主面側の発光面１０５ａの中央領域に受電電極１０３ａ，１０４ａが設けられるとともに、周縁端部にも受電電極１０３ｂ，１０４ｂが設けられている。発光パネル１００Ａの形状は、長方形形状に限定されるものではなく、正方形形状、多角形形状、円形形状等の様々な形状の選択が可能である。
【００４３】
図９を参照して、この発光パネル１００Ｂは、発光層１１０Ｂと変形層１２０Ｂと有している。発光層１１０Ｂは、発光体１０１、受電電極１０３ａ，１０３ｂと電気的に接続し、発光体１０１の一方面側に位置する導電体１０２、受電電極１０４と電気的に接続され、発光体１０１の他方面側（発光面側）に位置する透明導電体１０５、および、ガラスやプラスチックフィルムを用いた透明基板１０６とを有している。
【００４４】
発光体１０１は、導電体１０２と透明導電体１０５とにより挟み込まれている。図示においては記載を省略しているが、導電体１０２と透明導電体１０５との対向面には、絶縁分離のために絶縁層が設けられている。
【００４５】
この発光層１１０Ｂは、受電電極１０３と受電電極１０４との間に直流電流（例えば、１５Ｖ程度）を流すことにより発光面１０５ａが可視光線を発して発光する。
【００４６】
本実施の形態の発光層１１０Ｂは、有機ＥＬ(Electro-Luminescence)を発光体１０１に用いており、導電体１０２にマイナス電位を印加し、透明導電体１０５にプラス電位を印加すると、導電体１０２で生じた自由電子と透明導電体１０５で生じた正孔とが発光体１０１で結合して、この発光体１０１の有機物が励起状態になり、元の安定状態に戻るときに発光する。
【００４７】
さらに、本実施の形態の発光パネル１００Ｂは、発光層１１０Ａの上に、外部から所定の刺激が加えられることにより、湾曲面状態から平面常態に変形して、発光層１１０Ａを平面状態または湾曲面状態に変形させる変形層１２０Ｂが設けられている。
【００４８】
本実施の形態において、外部から所定の刺激としては、可視光線が挙げられる。具体的には、発光層１１０Ｂから発光する可視光線を受けて、変形層１２０Ｂが湾曲面状態から平面常態に変形する。可視光線によって、湾曲面状態から平面状態に変形可能な変形層１２０Ｂに用いる材料として、フォトクロミック化合物（光照射によりその分子量を変えずに結合様式を変える化合物）を混入、被覆、または付着した合成繊維を用いることで、変形層１２０Ｂを光伸縮層として用いることができる。波長４５０ｎｍ〜７８０ｎｍの可視光を照射することで、変形層１２０Ｂを湾曲面状態から平面常態に変形させることができる。
【００４９】
（照明装置２０００）
次に、図１０から図１３を参照して、本実施の形態における照明装置２０００について説明する。なお、図１０は、照明装置２０００の外観を示す見上げ図、図１１は、図１０中ＸＩ−ＸＩ線矢視断面図、図１２および図１３は、照明装置２０００への発光パネル１００Ｂの支持状態を示す第１図および第２図である。
【００５０】
図１０を参照して、本実施の形態における照明装置２０００は、天井１に取り付けられており、発光パネル１００Ｂと、この発光パネル１００Ｂの縁部を下面側から支持する箱型の支持部材２１０とを備えている。
【００５１】
支持部材２１０は、断面視において側壁部はＬ字形状を有し、下面部には、発光パネル１００Ａの縁部を下方側から支持する支持片２１２が設けられている。支持片２１２により、発光面を露出させるための矩形の開口部２１２ｈが規定されている。
【００５２】
支持部材２１０は、発光パネル１００Ｂの発光層１１０Ｂに設けられた受電電極１０３ｂ、１０４ｂに接する供電電極２２１ａ、２２１ｂが設けられている。また、支持部材２１０の天井部分には、発光パネル１００Ｂの変形層１２０Ｂに所定の刺激としての可視光を照射するため、発光層１１０Ｂに設けられた受電電極１０３ａ、１０４ａに接する供電電極２２１ａ、２２１ｂが設けられている。
【００５３】
（照明装置２０００の動作）
図１１から図１３を参照して、照明装置２０００の動作について説明する。まず、図１１を参照して、湾曲面状態にある発光パネル１００Ｂを開口部２１２ｈから支持部材２１０の内部に収容して、発光層１１０Ｂに設けられた受電電極１０３ａ、１０４ａに供電電極２２１ａ、２２１ｂを接触させて発光層１１０Ｂに電流を流す。これにより、図１２に示すように、発光層１１０Ｂは発光し、この刺激により、変形層１２０Ｂは湾曲面状態から平面常態に変化する。
【００５４】
その後、図１３に示すように、直ぐに発光パネル１００Ｂを降下させて、支持部材２１０を用いて発光パネル１００Ｂを保持する。下降時に、受電電極１０３ａ、１０４ａと供電電極２２１ａ、２２１ｂとは一瞬の間離れるが、直ぐに、発光パネル１００Ｂの受電電極１０３ｂ、１０４ｂに支持部材２１０の供電電極２２１ａ、２２１ｂが接触する。これにより、発光パネル１００Ｂの発光層１１０Ｂは発光し、この可視光の刺激により、発光パネル１００Ｂは、平面状態を保つことになる。
【００５５】
発光層１１０Ｂを発光させる通常モードにおいては、供電電極２２１ａ，２２１ｂから受電電極１０３，１０４に電力が供給される。電力が供給されている間は、発光パネル１００Ｂの発光層１１０Ｂは発光し、この可視光の刺激により、発光パネル１００Ｂは、平面状態を維持する。
【００５６】
次に、発光パネル１００Ｂの取外し（剥離）モードにおいては、供電電極２２１ａ，２２１ｂから受電電極１０３，１０４への電力の供給を停止する。変形層１２０Ｂは、発光層１１０Ｂからの可視光の刺激がなくなり、平面状態から湾曲面状態に変化する（図１１に示す状態）。これにより、発光パネル１００Ｂの支持部材２１０からの取外しが完了する。
【００５７】
このように本実施の形態における照明装置２０００によれば、発光パネル１００Ｂが交換時期に達し、発光パネル１００Ｂの支持部材２１０からの取外しを行なう場合には、変形層１２０Ｂへの可視光照射を停止することで発光パネル１００Ｂが平面状態から湾曲面状態に変形して、容易に発光パネル１００Ｂの支持部材２１０からの取外しを行なうことができる。
【００５８】
特に、照明装置２０００を天井１等の高い位置に取り付けた場合には、発光パネル１００Ｂの取外し作業に脚立等を用いる必要が生じるが、本実施の形態の照明装置２０００によれば、脚立等を用いることなく、発光パネル１００Ｂの取外し作業を行なうことが可能となる。その結果、発光パネル１００Ｂの交換作業のさらなる効率化を図ることを可能とする。
【００５９】
（実施の形態３）
図１４を参照して、本実施の形態における照明装置３０００に用いられる発光パネル１００Ｃについて説明する。なお、図１４は、本実施の形態における照明装置に用いられる発光パネル１００Ｃの断面図である。
【００６０】
本実施の形態における照明装置３０００は、実施の形態１の照明装置に対して、複数枚の発光パネル１００Ｃの収容可能とするものである。実施の形態１の照明装置１０００の支持部材２００Ａ，２００Ｂの寸法を単純に拡大し、発光パネル１００Ａをそのまま複数枚積層した場合には、以下の課題が生じる。
【００６１】
まず、交換時期に到達した発光パネル１００Ａに対して、たとえば、紫外線を印加した場合、上方に積み重ねられた発光パネル１００Ａに対しても紫外線が印加され、上方に積み重ねられた発光パネル１００Ａが、平面状態から湾曲面状態に変形してしまうおそれがある。
【００６２】
また、積み重ねられた発光パネル１００Ａの端面と支持部材２００Ａ，２００Ｂとの摩擦係数が大きい場合には、交換時期に達した発光パネル１００Ａを取り外しても積み重ねられた発光パネル１００Ａが落下しない場合が考えられる。そこで、本実施の形態においては、このような課題を解決する構成を有している。
【００６３】
（発光パネル１００Ｃ）
図１４を参照して、本実施の形態における発光パネル１００Ｃは、実施の形態１における発光パネル１００Ａと同様に、発光層１１０Ａと変形層１２０Ａと有し、さらに、変形層１２０Ａの上に、変形層１２０Ａに照射された不可視光線、熱、またはマイクロ波のいずれかが外部に放出されることを防ぐ反射層１３０を有している。発光層１１０Ａおよび変形層１２０Ａには、実施の形態１の発光パネル１００Ａと同じものを用い、反射層１３０には、厚さが０．１ｍｍ〜０．５ｍｍ程度のアルミを用いると良い。
【００６４】
（照明装置３０００）
次に、図１５を参照して、本実施の形態における照明装置３０００について説明する。なお、図１５は、照明装置３０００の断面図である。基本的構造は、実施の形態１と同じであり、本実施の形態における照明装置３０００も、天井１に取り付けられており、発光パネル１００Ｃと、この発光パネル１００Ｃの縁部を下面側から支持する一対の支持部材２３０Ａ，２３０Ｂとを備えている。
【００６５】
支持部材２３０Ａ，２３０Ｂは、断面視においてＬ字形状を有している。支持部材２３０Ａは、発光パネル１００Ｃの発光層１１０Ａに設けられた受電電極１０３に接する供電電極２０１ａと、発光パネル１００Ａの変形層１２０Ａに所定の刺激を加えるための発生部２０２ａが設けられている。同様に、支持部材２３０Ｂは、発光パネル１００Ａの発光層１１０Ａに設けられた受電電極１０４に接する供電電極２０１ｂと、発光パネル１００Ａの変形層１２０Ａに所定の刺激を加えるための発生部２０２ｂが設けられている。
【００６６】
また、本実施の形態では、複数枚の発光パネル１００Ｃを支持可能なように、支持部材２３０Ａ，２３０Ｂの長さが設定されている。さらに、支持部材２３０Ａ，２３０Ｂの内周面側には、テフロン（登録商標）等の低摩擦係数部材２３０ｔ，２３１ｔが取り付けられている。なお、発生部２０２ａ，２０２ｂについは、図６を用いた説明と同じであるため、重複する説明は繰り返さない。
【００６７】
（照明装置３０００の動作）
図１６および図１７を参照して、照明装置３０００の動作について説明する。基本的動作は、実施の形態１における照明装置１０００と同じであり、発光層１１０Ａを発光させる通常モードにおいては、供電電極２０１ａ，２０１ｂから受電電極１０３，１０４に電力が供給される。
【００６８】
図１６を参照して、発光パネル１００Ｃの取外し（剥離）モードにおいては、供電電極２０１ａ，２０１ｂからの電力供給が遮断され、発生部２０２ａ，２０２ｂから変形層１２０Ａに所定の刺激が加えられることにより、変形層１２０Ａが平面状態から湾曲面状態に変形して、発光層１１０Ａを平面状態から湾曲面状態に変形させる。その結果、図１６に示すように、発光パネル１００Ｃは上方に凸となるように湾曲し、発光パネル１００Ｃの縁部が支持部材２３０Ａ，２３０Ｂによる支持から外れることになる。これにより、発光パネル１００Ａの支持部材２３０Ａ，２３０Ｂからの取外しが完了する。
【００６９】
このとき、発光パネル１００Ｃにはそれぞれ反射層１３０が設けられていることから、交換時期に達した発光パネル１００Ｃに照射された不可視光線、熱、またはマイクロ波が、上に積層された発光パネル１００Ｃ側への放出を防ぐことができる。これにより、次に装着される発光パネル１００Ｃの変形を防止することができる。
【００７０】
また、支持部材２３０Ａ，２３０Ｂの内周面側には、テフロン（登録商標）等の低摩擦係数部材２３０ｔ，２３１ｔが取り付けられていることから、発光パネル１００Ｃの端面と支持部材２３０Ａ，２３０Ｂの内周面側との滑り状態は良好となる。その結果、図１７に示すように、交換時期に達した発光パネル１００Ｃの取外しが完了した後には、上に積層された複数の発光パネル１００Ｃを安定的に落下させることが可能となる。
【００７１】
（作用・効果）
このように本実施の形態における照明装置３０００によっても、実施の形態１における照明装置１０００と同様の作用・効果を得ることができる。さらに、支持部材２３０Ａ，２３０Ｂに複数の発光パネル１００Ｃを収納させておくことができるため、脚立等を用いることなく、発光パネル１００Ａの交換作業のさらなる効率化を図ることを可能とする。
【００７２】
（実施の形態４）
（発光パネル１００Ｄ）
図１８を参照して、本実施の形態における照明装置に用いられる発光パネル１００Ｄについて説明する。なお、図１８は、発光パネル１００Ｄの外観を示す見上げ図である。
【００７３】
この発光パネル１００Ｄは、実施の形態１における発光層１１０Ａと同一の発光層１１０Ｄを有し、この発光層１１０Ａの上の両側部に、外部から所定の刺激が加えられることにより、平面状態または湾曲面状態に変形して、発光層１１０Ｄを平面状態または湾曲面状態に変形させる変形層１２０Ｄが設けられている。
【００７４】
本実施の形態において、変形層１２０Ｄには、形状記憶合金が用いられ、外部から所定の刺激としては、過課電を用いている。形状記憶合金は、変態点以上の温度では、変形を受けてもすぐさま元の形状を回復する性質を持ち、この変形範囲は鋼などを使う通常のばね等に比べてはるかに広い。形状記憶合金として、チタンとニッケルの合金、鉄−マンガン−ケイ素合金などが用いられる。
【００７５】
（照明装置４０００）
次に、図１９から図２１を参照して、本実施の形態における照明装置４０００について説明する。なお、図１９は、照明装置４０００の外観を示す見上げ図、図２０は、照明装置４０００の発光パネル１００Ｄの支持状態を示す図であり、図１９中ＸＸ−ＸＸ線矢視断面図、図２１は、照明装置４０００の発光パネル１００Ｄの支持状態を示す図であり、図１９中ＸＸＩ−ＸＸＩ線矢視断面図である。
【００７６】
図１９から図２１を参照して、本実施の形態における照明装置４０００は、天井１に取り付けられており、発光パネル１００Ｄと、この発光パネル１００Ｄの縁部を下面側から支持する一対の支持部材２４０Ａ，２４０Ｂとを備えている。
【００７７】
支持部材２４０Ａ，２４０Ｂは、断面視においてＬ字形状を有している。支持部材２４０Ａは、発光パネル１００Ｄの発光層１１０Ｄに設けられた受電電極１０３に接する供電電極２４１ａと、発光パネル１００Ｄの変形層１２０Ｄに所定の刺激を加えるための発生部２４２ａが設けられている。同様に、支持部材２４０Ｂは、発光パネル１００Ｄの発光層１１０Ｄに設けられた受電電極１０４に接する供電電極２４１ｂと、発光パネル１００Ｄの変形層１２０Ｄに所定の刺激を加えるための発生部２４２ｂが設けられている。
【００７８】
図２２を参照して、所定の刺激を加えるための発生部２４２ａ，２４２ｂについて説明する。なお、図２２は、照明装置４０００に用いられる刺激印加装置の概略構成を示す図である。この刺激印加装置は、形状記憶合金に対して瞬時に電流を流すための過電流が流れる回路構成を有し、過電流の発生部２４２ａ，２４２ｂと、電源１１、および回路のＯＮ／ＯＦＦを制御するためのスイッチ１２を有している。
【００７９】
（照明装置４０００の動作）
図２０、図２１および図２２を参照して、照明装置４０００の動作について説明する。発光層１１０Ｄを発光させる通常モードにおいては、供電電極２４１ａ，２４１ｂから受電電極１０３，１０４に電力が供給される。電力が供給されている間は、刺激印加装置のスイッチ１２はＯＦＦ状態が選択され、変形層１２０Ｄに刺激は印加されない。なお、供電電極２４１ａ，２４１ｂからの電力供給のＯＮ／ＯＦＦ制御、および、刺激印加装置のスイッチ１２のＯＮ／ＯＦＦ制御は、図示しない制御装置によって行なわれ、使用者による手動操作、遠隔操作、または、自動操作により実行される。
【００８０】
次に、図２３を参照して、発光パネル１００Ａの取外し（剥離）モードについて説明する。取外し（剥離）モードにおいては、供電電極２４１ａ，２４１ｂからの電力供給が遮断される。したがって、発光層１１０Ｄは発光しない。この電力供給が遮断された後に、刺激印加装置のスイッチ１２がＯＮ状態にされ、発生部２４２ａ，２４２ｂから変形層１２０Ｄに所定の刺激が加えられる。なお、発光パネル１００Ｄの交換時期に達していない場合には、発光パネル１００Ｄの取外し（剥離）モードへの切り替えが行なわれない制御を行なうことが好ましい。
【００８１】
発生部２４２ａ，２４２ｂから変形層１２０Ｄに所定の刺激が加えられることにより、変形層１２０Ｄが平面状態から湾曲面状態に変形して、発光層１１０Ａを平面状態から湾曲面状態に変形させる。その結果、図２３に示すように、発光パネル１００Ｄは上方に凸となるように湾曲し、発光パネル１００Ｄの縁部が支持部材２４０Ａ，２４０Ｂによる支持から外れることになる。これにより、発光パネル１００Ａの支持部材２００Ａ，２００Ｂからの取外しが完了する。
【００８２】
（作用・効果）
このように本実施の形態における照明装置４０００によっても、実施の形態１における照明装置１０００と同様の作用効果が得られる。
【００８３】
（実施の形態５）
図２４から図２６を参照して、本実施の形態における照明装置５０００について説明する。照明装置５０００に用いる発光パネルは、実施の形態４における発光パネル１００Ｄであるため、重複する説明は行なわない。
【００８４】
本実施の形態における照明装置５０００は、実施の形態４の照明装置に対して、複数枚の発光パネル１００Ｄの収容可能とするものである。実施の形態４の照明装置４０００の支持部材２４０Ａ，２４０Ｂの寸法を単純に拡大し、発光パネル１００Ｄをそのまま複数枚積層した場合には、以下の課題が生じる。
【００８５】
積み重ねられた発光パネル１００Ｄの端面と支持部材２４０Ａ，２４０Ｂとの摩擦係数が大きい場合には、交換時期に達した発光パネル１００Ｄを取り外しても積み重ねられた発光パネル１００Ｄが落下しない場合が考えられる。そこで、本実施の形態においては、このような課題を解決する構成を有している。
【００８６】
（照明装置５０００）
図２４を参照して、本実施の形態における照明装置５０００について説明する。なお、図２４は、照明装置５０００の断面図である。基本的構造は、実施の形態４と同じであり、本実施の形態における照明装置５０００も、天井１に取り付けられており、発光パネル１００Ｄと、この発光パネル１００Ｄの縁部を下面側から支持する一対の支持部材２５０Ａ，２５０Ｂとを備えている。
【００８７】
支持部材２５０Ａ，２５０Ｂは、断面視においてＬ字形状を有している。支持部材２５０Ａは、発光パネル１００Ｄの発光層１１０Ｄに設けられた受電電極１０３に接する供電電極２４１ａと、発光パネル１００Ｄの変形層１２０Ｄに所定の刺激を加えるための発生部２４２ａが設けられている。同様に、支持部材２５０Ｂは、発光パネル１００Ｄの発光層１１０Ｄに設けられた受電電極１０４に接する供電電極２４１ｂと、発光パネル１００Ｄの変形層１２０Ｄに所定の刺激を加えるための発生部２４２ｂが設けられている。
【００８８】
また、本実施の形態では、複数枚の発光パネル１００Ｄを支持可能なように、支持部材２５０Ａ，２５０Ｂの長さが設定されている。さらに、支持部材２５０Ａ，２５０Ｂの内周面側には、テフロン（登録商標）等の低摩擦係数部材２５０ｔ，２５１ｔが取り付けられている。なお、発生部２４２ａ，２４２ｂについは、図２２を用いた説明と同じであるため、重複する説明は繰り返さない。
【００８９】
（照明装置５０００の動作）
図２５および図２６を参照して、照明装置５０００の動作について説明する。基本的動作は、実施の形態４における照明装置４０００と同じであり、発光層１１０Ｄを発光させる通常モードにおいては、供電電極２４１ａ，２４１ｂから受電電極１０３，１０４に電力が供給される。
【００９０】
図２５を参照して、発光パネル１００Ｄの取外し（剥離）モードにおいては、供電電極２４１ａ，２４１ｂからの電力供給が遮断され、発生部２４２ａ，２４２ｂから変形層１２０Ｄに所定の刺激が加えられることにより、変形層１２０Ｄが平面状態から湾曲面状態に変形して、発光層１１０Ｄを平面状態から湾曲面状態に変形させる。その結果、図２５に示すように、発光パネル１００Ｄは上方に凸となるように湾曲し、発光パネル１００Ｄの縁部が支持部材２５０Ａ，２５０Ｂによる支持から外れることになる。これにより、発光パネル１００Ｄの支持部材２５０Ａ，２５０Ｂからの取外しが完了する。
【００９１】
このとき、支持部材２５０Ａ，２５０Ｂの内周面側には、テフロン（登録商標）等の低摩擦係数部材２５０ｔ，２５１ｔが取り付けられていることから、発光パネル１００Ｄの端面と支持部材２５０Ａ，２５０Ｂの内周面側との滑り状態は良好となる。その結果、図２６に示すように、交換時期に達した発光パネル１００Ｄの取外しが完了した後には、上に積層された複数の発光パネル１００Ｄを安定的に落下させることが可能となる。
【００９２】
（作用・効果）
このように本実施の形態における照明装置５０００によっても、実施の形態４における照明装置４０００と同様の作用・効果を得ることができる。さらに、支持部材２５０Ａ，２５０Ｂに複数の発光パネル１００Ｄを収納させておくことができるため、脚立等を用いることなく、発光パネル１００Ｄの交換作業のさらなる効率化を図ることを可能とする。
【００９３】
（実施の形態６）
（発光パネル１００Ｅ）
図２７を参照して、本実施の形態における照明装置に用いられる発光パネル１００Ｅについて説明する。なお、図２７は、発光パネル１００Ｅを含む照明装置６０００の外観を示す見上げ図である。
【００９４】
この発光パネル１００Ｅは、実施の形態１における発光層１１０Ａと同一の発光層を有している。本実施の形態では、上記実施の形態１から５の発光パネル１００Ａ〜１００Ｄで説明したような変形層１２０Ａ〜１２０Ｄは有していない。発光パネル１００Ｅの両端部には、発光層１１０Ａと同様に、受電電極１０３，１０４が設けられている。
【００９５】
（照明装置６０００）
次に、図２８および図２９を参照して、本実施の形態における照明装置６０００について説明する。なお、図２８は、照明装置６０００の発光パネル１００Ｅの支持状態を示す図であり、図２７中ＸＸＶＩＩＩ−ＸＸＶＩＩＩ線矢視断面図、図２９は、照明装置６０００の発光パネル１００Ｅの取外し状態を示す図であり、図２７中ＸＸＶＩＩＩ−ＸＸＶＩＩＩ線矢視断面に相当する図である。
【００９６】
図２８および図２９を参照して、本実施の形態における照明装置６０００は、天井１に取り付けられており、発光パネル１００Ｅと、この発光パネル１００Ｅの縁部を下面側から支持する一対の支持部材２６０Ａ，２６０Ｂとを備えている。
【００９７】
支持部材２６０Ａ，２６０Ｂは、断面視においてＬ字形状を有している。支持部材２６０Ａは、発光パネル１００Ｅに設けられた受電電極１０３に接する供電電極２６１ａを有している。同様に、支持部材２６０Ｂは、発光パネル１００Ｅに設けられた受電電極１０４に接する供電電極２６１ｂを有している。
【００９８】
図２８を参照して、天井１側には、発光パネル１００Ｅに外力を加えて、発光パネル１００Ｅを平面状態から湾曲面状態に変形させる外力付加装置４００が取り付けられている。この外力付加装置４００は、弾性変形可能な押圧プレート４０１と、押圧プレート４０１を移動させるための駆動装置４０２とを有している。
【００９９】
（照明装置６０００の動作）
図２８および図２９を参照して、照明装置６０００の動作について説明する。発光パネル１００Ｅを発光させる通常モードにおいては、供電電極２６１ａ，２６１ｂから受電電極１０３，１０４に電力が供給される。電力が供給されている間は、外力付加装置４００のＯＦＦ状態が選択される。なお、供電電極２６１ａ，２６１ｂからの電力供給のＯＮ／ＯＦＦ制御、および、外力付加装置４００のＯＮ／ＯＦＦ制御は、図示しない制御装置によって行なわれ、使用者による手動操作、遠隔操作、または、自動操作により実行される。
【０１００】
次に、図２９を参照して、発光パネル１００Ｅの取外し（剥離）モードについて説明する。取外し（剥離）モードにおいては、供電電極２６１ａ，２６１ｂからの電力供給が遮断される。したがって、発光パネル１００Ｅは発光しない。この電力供給が遮断された後に、外力付加装置４００がＯＮ状態にされ、駆動装置４０２により押圧プレート４０１が下降する。なお、発光パネル１００Ｅの交換時期に達していない場合には、発光パネル１００Ｄの取外し（剥離）モードへの切り替えが行なわれない制御を行なうことが好ましい。
【０１０１】
押圧プレート４０１が下降することにより、外力付加装置４００から発光パネル１００Ｅに外力が加えられている状態においては、発光パネル１００Ｅは下方に凸となる湾曲面状態となって、支持部材２６０Ａ，２６０Ｂから外れることになる。これにより、発光パネル１００Ｅの支持部材２６０Ａ，２６０Ｂからの取外しが完了する。
【０１０２】
（作用・効果）
このように本実施の形態における照明装置６０００によれば、発光パネル１００Ｅが交換時期に達し、発光パネル１００Ｅの支持部材２６０Ａ，２６０Ｂからの取外しを行なう場合には、外力付加装置４００から発光パネル１００Ｅに外力を加えることにより、発光パネル１００Ｅが平面状態から湾曲面状態に変形して、容易に発光パネル１００Ｅの支持部材２６０Ａ，２６０Ｂからの取外しを行なうことができる。
【０１０３】
特に、照明装置６０００を天井１等の高い位置に取り付けた場合には、発光パネル１００Ｅの取外し作業に脚立等を用いる必要が生じるが、本実施の形態の照明装置６０００によれば、脚立等を用いることなく、発光パネル１００Ｅの取外し作業を行なうことが可能となる。その結果、発光パネル１００Ｅの交換作業のさらなる効率化を図ることを可能とする。
【０１０４】
以上、本発明の各実施の形態について説明したが、今回開示された実施の形態は全ての点で例示であって制限的なものではないと考えられるべきである。したがって、本発明の範囲は特許請求の範囲によって示され、特許請求の範囲と均等の意味および範囲内での全ての変更が含まれることが意図される。
【符号の説明】
【０１０５】
１  天井、１１  電源、１２  スイッチ、１３  刺激発生本体、１４  誘導管、１００Ａ，１００Ｂ，１００Ｃ，１００Ｄ，１００Ｅ  発光パネル、１００ａ  主面、１０１  発光体、１０２  導電体、１０３，１０３ａ，１０３ｂ，１０４，１０４ａ，１０４ｂ  受電電極、１０５  透明導電体、１０５ａ  発光面、１０６  透明基板、１０７  絶縁層、１１０Ａ，１１０Ｂ，１１０Ｄ  発光層、１２０Ａ，１２０Ｂ，１２０Ｄ  変形層、１３０  反射層、２００Ａ，２００Ｂ，２１０，２３０Ａ，２３０Ｂ，２４０Ａ，２４０Ｂ，２５０Ａ，２５０Ｂ，２６０Ａ，２６０Ｂ  支持部材、２０１ａ，２０１ｂ，２２１ａ，２２１ｂ，２４１ａ，２４１ｂ，２６１ａ，２６１ｂ  供電電極、２０２ａ，２０２ｂ，２４２ａ，２４２ｂ，２４２ａ，２４２ｂ  発生部、２１２  支持片、２１２ｈ  開口部、２３０ｔ，２３１ｔ，２５０ｔ，２５１ｔ  低摩擦係数部材、４００  外力付加装置、４０１  押圧プレート、４０２  駆動装置、１０００，２０００，３０００，４０００，５０００，６０００  照明装置。
【図１】
2012099431.tif 000003
【図２】
2012099431.tif 000004
【図３】
2012099431.tif 000005
【図４】
2012099431.tif 000006
【図５】
2012099431.tif 000007
【図６】
2012099431.tif 000008
【図７】
2012099431.tif 000009
【図８】
2012099431.tif 000010
【図９】
2012099431.tif 000011
【図１０】
2012099431.tif 000012
【図１１】
2012099431.tif 000013
【図１２】
2012099431.tif 000014
【図１３】
2012099431.tif 000015
【図１４】
2012099431.tif 000016
【図１５】
2012099431.tif 000017
【図１６】
2012099431.tif 000018
【図１７】
2012099431.tif 000019
【図１８】
2012099431.tif 000020
【図１９】
2012099431.tif 000021
【図２０】
2012099431.tif 000022
【図２１】
2012099431.tif 000023
【図２２】
2012099431.tif 000024
【図２３】
2012099431.tif 000025
【図２４】
2012099431.tif 000026
【図２５】
2012099431.tif 000027
【図２６】
2012099431.tif 000028
【図２７】
2012099431.tif 000029
【図２８】
2012099431.tif 000030
【図２９】
2012099431.tif 000031